(57)【要約】【課題】本発明の一つの目的は、導光板、バックライトモジュール及び表示装置を提供することであり、導光板にプラットフォーム部を有する設計は、部品を固着部品よってプラットフォーム部に固着させる方式によって、部品と導光板を結合させることができる。【解決手段】本発明は導光板、バックライトモジュール及び表示装置を開示する。この導光板は本体及び複数のプラットフォーム部を含む。本体は漸縮部及び導光部を含む。漸縮部は光入射面及び斜面を有し、斜面は光入射面に接続される。導光部は漸縮部に接続され、斜面に接続される光学面を有する。プラットフォーム部は漸縮部に設置される。各プラットフォーム部は平面を有する。各プラットフォーム部の平面は漸縮部の斜面の上又は下に位置する。【選択図】図１
2018538658.tif 000002
【特許請求の範囲】
【請求項１】
光入射面及び前記光入射面に接続された斜面を有する漸縮部と前記漸縮部に接続され、前記斜面に接続された光学面を有する導光部とを含む本体と、
前記漸縮部に設置され、それぞれ前記漸縮部の前記斜面の上又は下に位置する平面を有する複数のプラットフォーム部と、
を備える導光板。
【請求項２】
各前記プラットフォーム部の前記平面は前記光学面と異なる水平面に位置し、各前記プラットフォーム部はさらに、前記平面と前記斜面に接続された垂直側面を有する請求項１に記載の導光板。
【請求項３】
前記斜面は第１縁部及び第２縁部を有し、各前記プラットフォーム部は前記第１縁部と第２縁部との間に位置する請求項１に記載の導光板。
【請求項４】
各前記プラットフォーム部の前記平面は前記光学面と同じ水平面に位置する請求項１に記載の導光板。
【請求項５】
前記光入射面から延伸された複数の延伸構造をさらに含み、
各前記延伸構造は一部又は全ての前記プラットフォーム部に接続される請求項１に記載の導光板。
【請求項６】
前記本体に設置され、それぞれの少なくとも一部が前記光学面に位置し、前記光入射面と前記導光部の反対面との間に切断される複数のストリップ状の微細構造をさらに含み、
各前記ストリップ状の微細構造の前記光学面に位置する前記部分は前記光入射面の法線と平行し、各前記ストリップ状の微細構造の長さは前記本体の長さより短い請求項１〜５のいずれかに記載の導光板。
【請求項７】
前記本体に分布された複数のストリップ状の微細構造をさらに含み、
各前記ストリップ状の微細構造は、前記漸縮部の底部の縁から前記光入射面を離れる方向へ延伸し、前記光入射面と前記導光部の反対面との間に切断され、
各前記ストリップ状の微細構造の長さは前記本体の長さより短い請求項１〜５のいずれかに記載の導光板。
【請求項８】
前記傾斜部から前記光学面に延伸し、前記光入射面と前記導光部の反対面との間に切断される複数のストリップ状の微細構造を更に含み、
各前記ストリップ状の微細構造の一部は前記傾斜部に位置し、他の部分は前記光入射面の法線と平行し、
各前記ストリップ状の微細構造の長さは前記本体の長さより短い請求項１〜５のいずれかに記載の導光板。
【請求項９】
回路基板及び前記回路基板に設置された複数の発光ユニットを含む光源と、
光入射面及び前記光入射面に接続された斜面を有する漸縮部と前記漸縮部に接続され、前記斜面に接続された光学面を有する導光部とを含む本体と前記漸縮部に設置され、それぞれ前記漸縮部の前記斜面の上又は下に位置する平面を有する複数のプラットフォーム部とを備え、前記光源の隣に設置された導光板と、
前記導光板に覆設された部品と、
前記プラットフォーム部の前記平面に設置され、前記部品及び／又は前記光源の前記回路基板を固着する複数の固着部品と、
を含むバックライトモジュール。
【請求項１０】
各前記プラットフォーム部の前記平面は前記光学面と異なる水平面に位置し、各前記プラットフォーム部はさらに、前記平面と前記斜面に接続される垂直側面を有する請求項９に記載のバックライトモジュール。
【請求項１１】
前記斜面は第１縁部及び第２縁部を有し、各前記プラットフォーム部は前記第１縁部と第２縁部との間に位置する請求項９に記載のバックライトモジュール。
【請求項１２】
各前記プラットフォーム部の前記平面は前記光学面と同じ水平面に位置する請求項９に記載のバックライトモジュール。
【請求項１３】
前記導光板は前記光入射面から延伸された複数の延伸構造をさらに含み、
各前記延伸構造は一部又は全ての前記プラットフォーム部に接続される請求項９に記載のバックライトモジュール。
【請求項１４】
各前記延伸構造は、前記平面と同じ水平面に位置する表面を有し、一部の前記固着部品は前記プラットフォーム部の前記平面から前記延伸構造の前記表面に延伸される請求項１３に記載のバックライトモジュール。
【請求項１５】
各前記延伸構造は任意の２つの隣接する前記発光ユニットの間に位置する請求項１３に記載のバックライトモジュール。
【請求項１６】
各前記延伸構造はさらに凹溝を含み、前記バックライトモジュールはさらに前記凹溝に設置された複数の下部固着部品を含み、
前記光源の前記回路基板は、前記下部固着部品によって前記回路基板に粘着された前記導光板の下方に位置する請求項１３に記載のバックライトモジュール。
【請求項１７】
前記本体に設置された複数のストリップ状の微細構造をさらに含み、
各前記ストリップ状の微細構造の少なくとも一部は前記光学面に位置し、前記光入射面と前記導光部の反対面との間に切断され、
各前記ストリップ状の微細構造の前記光学面に位置する前記部分は前記光入射面の法線と平行し、各前記ストリップ状の微細構造の長さは前記本体の長さより短い請求項９〜１６のいずれかに記載のバックライトモジュール。
【請求項１８】
前記本体に分布された複数のストリップ状微細構造をさらに含み、
各前記ストリップ状の微細構造は、前記漸縮部の底部の縁から前記光入射面を離れる方向へ延伸し、前記光入射面と前記導光部の反対面との間に切断され、
各前記ストリップ状の微細構造の長さは前記本体の長さより短い請求項９〜１６のいずれかに記載のバックライトモジュール。
【請求項１９】
前記傾斜部から前記光学面に延伸し、前記光入射面と前記導光部の反対面との間に切断される複数のストリップ状微細構造をさらに含み、
各前記ストリップ状の微細構造の一部は前記傾斜部に位置し、他の部分は前記光入射面の法線と平行し、
各前記ストリップ状の微細構造の長さは前記本体の長さより短い請求項９〜１６のいずれかに記載のバックライトモジュール。
【請求項２０】
前記部品は反射シートを有し、前記本体の前記漸縮部に覆設され、前記導光部に延伸される請求項９〜１６のいずれかに記載のバックライトモジュール。
【請求項２１】
前記部品は筺体をさらに含み、
前記反射シートは前記筺体に結合され、前記筺体と前記本体との間に介在する請求項２０に記載のバックライトモジュール。
【請求項２２】
請求項９〜１６のいずれかに記載のバックライトモジュールと、
前記導光板の前方に位置する表示パネルと、
を含む表示装置。
【発明の詳細な説明】
【技術分野】
【０００１】
本発明は導光部材及びその応用に関する。特に、導光板及びバックライトモジュール及び表示装置における導光板の応用に関する。
【背景技術】
【０００２】
バックライトモジュール薄型化の設計傾向に合わせるため、導光板の設計にも薄型化の傾向がある。しかしながら、導光板の厚さが縮小される場合、発光ダイオードの高さは導光板と同じ厚さに減少することができない。また、発光ダイオードの高さが導光板の厚さより大きい場合、導光板は発光ダイオードにより発生される光線を効果的に利用できず、導光板の光漏れを発生させることがある。
【０００３】
上記問題を解決するために、通常は、バックライトモジュールに特別デザインの導光板を使用することにより平板状の導光板を置き換える。特別デザインの導光板は、主に漸縮部及び漸縮部に接続される平板部を含む。漸縮部の光源に近接する一端の厚さは、平板部に接続される漸縮部の他端の厚さより大きい。従って、光源により発生される光線は厚さの大きい漸縮部から導光板に入って平板部に伝搬される。従って、導光板は漸縮部によって光源により発生される光線を受け取り効果的に利用できるとともに、その平板部の厚さも対応的に縮小される。
【０００４】
しかしながら、特別デザインの導光板により上記問題を解決することができるが、光線は特別デザインの導光板で伝搬される時、常に漸縮部と平板部の接続位置から漏れ、導光板の光学的外観に悪影響を与えている。一方、特別デザインの導光板の設計において、ゴム筺体又はバックライトモジュールにおけるその他の部材と互いに結合し固定されることが難しい。
【発明の概要】
【発明が解決しようとする課題】
【０００５】
従って、本発明の一つの目的は、導光板、バックライトモジュール及び表示装置を提供することであり、導光板にプラットフォーム部を有する設計は、部品を固着部品よってプラットフォーム部に固着させる方式によって、部品と導光板を結合させることができる。
【課題を解決するための手段】
【０００６】
本発明の上記目的に基づき、導光板を提供する。この導光板は本体及び複数のプラットフォーム部を含む。本体は漸縮部及び導光部を含む。漸縮部は光入射面及び斜面を有し、斜面は光入射面に接続される。導光部は漸縮部に接続され、斜面に接続される光学面を有する。プラットフォーム部は漸縮部に設置される。各プラットフォーム部は平面を有し、各プラットフォーム部の平面は漸縮部の斜面の上又は下に位置する。
【０００７】
本発明の上記目的に基づき、さらに、バックライトモジュールを提供する。このバックライトモジュールは光源及び導光板を含む。光源は、回路基板及び複数の発光ユニットを含み、これらの発光ユニットは回路基板に設置される。導光板は光源の隣に設置され、本体及び複数のプラットフォーム部を含む。本体は漸縮部及び導光部を含む。漸縮部は光入射面及び斜面を有し、斜面は光入射面に接続される。導光部は漸縮部に接続され、斜面に接続される光学面を有する。プラットフォーム部は漸縮部に設置される。各プラットフォーム部は平面を有し、各プラットフォーム部の平面は漸縮部の斜面の上又は下に位置する。
【０００８】
本発明の一実施例によれば、上記各プラットフォーム部の平面は光学面と異なる水平面に位置し、各プラットフォーム部は、さらに垂直側面を有する。ここで、垂直側面は平面と斜面に接続される。
【０００９】
本発明の別の実施例によれば、上記斜面は第１縁部及び第２縁部を有し、各プラットフォーム部は第１縁部と第２縁部との間に位置する。
【００１０】
本発明のまた別の実施例によれば、上記各プラットフォーム部の平面は光学面と同じ水平面に位置する。
【００１１】
本発明の別の実施例によれば、上記導光板はさらに、複数の延伸構造を含む。延伸構造は光入射面から延伸され、各延伸構造は一部又は全てのプラットフォーム部に接続される。
【００１２】
本発明のさらに別の実施例によれば、上記導光板はさらに、複数のストリップ状の微細構造を含む。ストリップ状の微細構造は本体に設置される。各ストリップ状の微細構造の少なくとも一部は光学面に位置し、光入射面と導光部の反対面との間に切断される。各ストリップ状の微細構造の光学面に位置する部分は光入射面の法線と平行し、各ストリップ状の微細構造の長さは本体の長さより短い。
【００１３】
本発明のさらに別の実施例によれば、上記導光板はさらに、複数のストリップ状の微細構造を含む。ストリップ状の微細構造は本体に分布される。各ストリップ状の微細構造は漸縮部の底部の縁から光入射面を離れる方向へ延伸し、光入射面と導光部の反対面との間に切断される。各ストリップ状の微細構造の長さは本体の長さより短い。
【００１４】
本発明のまた別の実施例によれば、上記導光板はさらに、複数のストリップ状の微細構造を含む。ストリップ状の微細構造は傾斜部から光学面に延伸し、光入射面と導光部の反対面との間に切断される。各ストリップ状の微細構造の一部は傾斜部に位置し、他の部分は光入射面の法線と平行する。ここで、各ストリップ状の微細構造の長さは本体の長さより短い。
【００１５】
本発明のさらに別の実施例によれば、上記部品は反射シートを有する。反射シートは本体の漸縮部に覆設され、導光部に延伸される。
【００１６】
本発明のさらに別の実施例によれば、上記部品はさらに、筺体を有し、反射シートは筺体に結合され、筺体と本体との間に位置する。
【００１７】
本発明の上記目的に基づき、さらに表示装置を提供する。この表示装置は前記バックライトモジュール及び表示パネルを含む。ここで、表示パネルは該導光板の前方に位置する。
【発明の効果】
【００１８】
上記から分かるように、部品が導光板に固着されるように、導光板上のプラットフォーム部の設計は固着部品を設置するのに用いることができる。一方、導光板の延伸構造の設計は、固着部品の粘着面積を増加させると共に、作業者が導光板と光源を互いに組み立てる時の位置合わせ機能を提供することもできる。
【００１９】
一方、導光板にはストリップ状の微細構造が設置されることで、導光板の光射出が不均一である問題を改善することができ、さらに、バックライトモジュールおよび表示装置全体の光射出外観の均一性を向上させることができる。
【図面の簡単な説明】
【００２０】
実施例及びその利点をより完全に理解させるために、以下、図面に合わせて行った以下の説明を参照する。
【図１】本発明の第１実施形態によるバックライトモジュールを示す側面図である。
【図２】本発明の第１実施形態によるバックライトモジュール省略部品及び固着部品を示す側面図である。
【図３】本発明の第１実施形態によるバックライトモジュール省略部品及び固着部品を示す斜視図である。
【図４】本発明の第２実施形態によるバックライトモジュール省略部品及び固着部品を示す側面図である。
【図５】本発明の第３実施形態によるバックライトモジュール省略部品及び固着部品を示す側面図である。
【図６】本発明の第４実施形態によるバックライトモジュールを示す側面図である。
【図７】本発明の第４実施形態によるバックライトモジュール省略部品及び固着部品を示す斜視図である。
【図８】本発明の第４実施形態によるバックライトモジュールを示す上面図である。
【図９】本発明の第５実施形態によるバックライトモジュールを示す側面図である。
【図１０】本発明の第６実施形態によるバックライトモジュールを示す側面図である。
【図１１】本発明の第６実施形態によるバックライトモジュール省略部品及び固着部品を示す側面図である。
【図１２】本発明の第６実施形態によるバックライトモジュール省略部品及び固着部品を示す斜視図である。
【図１３】本発明の第７実施形態によるバックライトモジュール省略部品及び固着部品を示す側面図である。
【図１４】本発明の第８実施形態によるバックライトモジュール省略部品及び固着部品を示す側面図である。
【図１５】本発明の第９実施形態によるバックライトモジュールを示す側面図である。
【図１６】本発明の第９実施形態によるバックライトモジュール省略部品及び固着部品を示す斜視図である。
【図１７】本発明の一実施形態による表示装置を示す装置の概念図である。
【発明を実施するための形態】
【００２１】
先ず、図１を参照すると、本発明の第１実施形態によるバックライトモジュールを示す側面図である。本実施形態におけるバックライトモジュール３００は、主に、導光板４００、導光板４００の隣に設置された光源３１０、部品３２０及び複数の固着部品３３０を含む。ここで、導光板４００は本体４１０及び複数のプラットフォーム部４２０を含む。部品３２０は筺体３２０ａ及び反射シート３２０ｂを有し、反射シート３２０ｂは筺体３２０ａに結合され、且つ筺体３２０ａと本体４１０の間に介在する。導光板４００を部品３２０に粘着させるために、固着部品３３０は、主に導光板４００のプラットフォーム部４２０に設置することができ、本実施形態では、部品３２０の筺体３２０ａに粘着する。
【００２２】
図２及び図３を共に参照すると、それぞれ本発明の第１実施形態によるバックライトモジュール省略部品及び固着部品を示す側面図及び斜視図である。導光板４００の本体４１０は漸縮部４１１及び導光部４１２を含む。ここで、漸縮部４１１は光入射面４１１ａ及び斜面４１１ｂを有し、光入射面４１１ａは漸縮部４１１の厚さが大きい一方に位置し、斜面４１１ｂは光入射面４１１ａに接続される。導光部４１２は、漸縮部４１１の厚さが小さい一方に接続され、導光部４１２は厚さが均一である平板構造であってもよい。導光部４１２は光学面４１２ａを有し、この光学面４１２ａは斜面４１１ｂに接続される。本実施例において、図１に示された反射シート３２０ｂは本体４１０の漸縮部４１１に覆設され、導光部４１２に延伸する。
【００２３】
継続して図２及び図３を参照すると、プラットフォーム部４２０は漸縮部４１１に設置され、各プラットフォーム部４２０は平面４２０ａを有する。一範例において、プラットフォーム部４２０は第１方向Ｄ１に沿って配列するように設置される。また、導光板３００の側面図から見ると（図２に示すように）、各プラットフォーム部４２０の平面４２０ａは漸縮部４１１の斜面４１１ｂの下に位置する。また、本実施例において、各プラットフォーム部４２０の平面４２０ａは光学面４１２ａと同じ水平面に位置する。本実施例において、図１に示すような固着部品３３０はこの平面４２０ａに設置され、導光板４００を部品３２０に固着させることができる。
【００２４】
図２及び図３に示すように、本実施例において、導光板４００は、さらに、本体４１０に設置された複数のストリップ状の微細構造４３０を含み、各ストリップ状の微細構造４３０の長さは本体４１０の長さより短い。また、本体４１０の漸縮部４１１の頂部は第１縁部Ｓ１を有し、漸縮部４１１の底部は第２縁部Ｓ２を有する。ここで、第２縁部Ｓ２は光学面４１２ａに接続され、第１縁部Ｓ１は光学面４１２ａから一定の距離離れている。
【００２５】
本実施例において、各ストリップ状の微細構造４３０は、第２縁部Ｓ２から光入射面４１１ａを離れる方向へ延伸し、光学面４１２ａに切断され、光入射面４１１ａと導光部４１２の反対面４１２ｂとの間に位置する。即ち、各ストリップ状の微細構造４３０の一端は漸縮部４１１の第２縁部Ｓ２に接続され、他端は光学面４１２ａに位置する。
【００２６】
本実施例において、各ストリップ状の微細構造４３０の光学面４１２ａに位置する部分は第２方向Ｄ２と平行する。ここで言う第２方向Ｄ２とは、光入射面４１１ａの法線と平行する方向を指す。一例において、第２方向Ｄ２は第１方向Ｄ１に直交する。
【００２７】
一方、図２に示すように、本実施形態のバックライトモジュール３００は可視領域及び非可視領域を有する。ここで、可視領域とは、図１７に示すような表示パネル１１００に応用するために、本体４１０の光学面４１２ａの光射出範囲をバックライトとする部分を指し、可視領域は、一般的に、本体４１０の光学面４１２ａが部品３２０に遮蔽されていない部分を指し、非可視領域は、本体４１０の光学面４１２ａの光射出範囲をバックライトとしない部分を指し、非可視領域は、一般的に、本体４１０が部品３２０に遮蔽される部分を指す。本実施形態において、各ストリップ状の微細構造４３０は非可視領域に位置し、第２縁部Ｓ２から導光部４１２の反対面４１２ｂに向かう方向に延伸する。
【００２８】
また、図４を参照すると、本発明の第２実施形態によるバックライトモジュールを示す側面図である。図４に示されたバックライトモジュール３００ａの構造は前記バックライトモジュール３００の構造と大体同じであり、差異はバックライトモジュール３００ａの導光板４００ａのストリップ状の微細構造４３０ａが異なる構造設計を有することだけである。本実施形態において、ストリップ状の微細構造４３０ａは、漸縮部４１１から光学面４１２ａに延伸し、光入射面４１１ａと導光部４１２の反対面４１２ｂとの間に切断される。即ち、各ストリップ状の微細構造４３０ａの一端は漸縮部４１１に位置し、他端は光学面４１２ａに位置する。
【００２９】
本実施例において、バックライトモジュール３００ａは同じく可視領域及び非可視領域を有する。各ストリップ状の微細構造４３０の漸縮部４１１に位置する部分は非可視領域に位置し、各ストリップ状の微細構造４３０ａの光学面４１２ａに位置する部分も非可視領域に位置する。本実施例において、同じく図１に示すような固着部品３３０を導光板４００ａのプラットフォーム部４２０に設置することにより、導光板４００ａを図１に示すような部品３２０に固着することができる。
【００３０】
また、図５を参照すると、本発明の第３実施形態によるバックライトモジュールを示す側面図である。図５に示されたバックライトモジュール３００ｂの構造は前記バックライトモジュール３００の構造と大体同じであり、差異はバックライトモジュール３００ｂの導光板４００ｂのストリップ状の微細構造４３０ｂが異なる設置位置を有することだけでる。図５に示すように、バックライトモジュール３００ｂは可視領域及び非可視領域を有し、漸縮部４１１は非可視領域に位置し、漸縮部４１１の第２縁部Ｓ２は可視領域から一定の距離離れている。
【００３１】
本実施例において、ストリップ状の微細構造４３０ｂは非可視領域に位置する光学面４１２ａに設置され、漸縮部４１１の第２縁部Ｓ２と一定の距離離れている。本実施例において、同じく図１に示すような固着部品３３０を導光板４００ｂのプラットフォーム部４２０に設置することにより、導光板４００ｂを図１に示すような部品３２０に固着することができる。一実施例において、部品５２０は筺体５２０ａ及び反射シート５２０ｂを含み、反射シート５２０ｂは筺体５２０ａに結合され、筺体５２０ａと本体６１０との間に位置する。
【００３２】
図６及び図７を共に参照すると、それぞれ本発明の第４実施形態によるバックライトモジュールを示す側面図とバックライトモジュール省略部品及び固着部品を示す斜視図である。本実施形態におけるバックライトモジュール５００は、主に導光板６００、導光板６００の隣に設置された光源５１０、部品５２０及び複数の固着部品５３０を含む。
【００３３】
ここで、導光板６００は本体６１０、複数のプラットフォーム部６２０、及び複数の延伸構造６３０を含む。延伸構造６３０は一部又は全てのプラットフォーム部６２０に接続される。導光板６００を部品５２０に粘着させるために、固着部品５３０は、主に、導光板６００の延伸構造６３０及びプラットフォーム部６２０に設置することができる。本実施例において、延伸構造６３０の設計は固着部品５３０の粘着面積を増加させることができる。
【００３４】
継続して図６及び図７を参照すると、導光板６００の本体６１０は漸縮部６１１及び導光部６１２を含む。ここで、漸縮部６１１は光入射面６１１ａ及び斜面６１１ｂを有し、光入射面６１１ａは漸縮部６１１の厚さが大きい一方に位置し、斜面６１１ｂは光入射面６１１ａに接続される。導光部６１２は、漸縮部６１１の厚さが小さい一方に接続され、導光部６１２は厚さが均一である平板構造であってもよい。導光部６１２は光学面６１２ａを有し、この光学面６１２ａは斜面６１１ｂに接続される。
【００３５】
本実施例において、プラットフォーム部６２０は漸縮部６１１に設置され、各プラットフォーム部６２０は平面６２１を有する。延伸構造６３０は光入射面６１１ａから延伸され、表面６３１を有する。本実施例において、プラットフォーム部６２０の平面６２１は延伸構造６３０の表面６３１と同じ水平面に位置する。また、導光板６００の側面図から見ると（図６に示すように）、各プラットフォーム部６２０の平面６２１は漸縮部６１１の斜面６１１ｂの下に位置する。
【００３６】
また、本実施例において、各プラットフォーム部６２０の平面６２１、延伸構造６３０の表面６３１及び光学面６１２ａはいずれも同じ水平面に位置する。従って、固着部品５３０を同時に平面４２０ａ及び表面６３１に設置することにより、導光板６００を部品５２０に固着させることができる。
【００３７】
図６に示すように、光源５１０は回路基板５１１及び回路基板５１１に設置された複数の発光ダイオード５１２を含む。図７に示すように、延伸構造６３０は２つの隣接する発光ダイオード５１２の間に位置する。従って、作業者が光源５１０及び導光板６００を組立てる場合、延伸構造６３０の設計を利用して発光ダイオード５１２を光入射面６１１ａに位置合わせることができるため、延伸構造６３０は作業者が導光板６００を光源５１０に位置合わせるように容易に組立てる機能を有する。
【００３８】
また、図７及び図８を共に参照すると、図８は本発明の第４実施形態によるバックライトモジュールを示す上面図である。一部の実施例において、部品の筺体５２０は上面図から見ると櫛状であり、導光板６００のプラットフォーム部６２０及び延伸構造６３０に対応する複数の延伸部５２１を含む。これらの延伸部５２１は重ね接続によりプラットフォーム部６２０及び延伸構造６３０に固着される。
【００３９】
図６〜図８に示すように、一部の実施例において、導光板６００は、さらに、本体６１０に設置された複数のストリップ状の微細構造６４０を含む。より具体的には、ストリップ状の微細構造６４０の構造設計及び配列方式に関する部分は、前記図１〜図５に示すストリップ状の微細構造４３０、４３０ａ及び４３０ｂの構造設計及び配列方式と大体同じであるため、ここでその説明を省略する。
【００４０】
また、図９を参照すると、本発明の第５実施形態によるバックライトモジュールを示す側面図である。本実施形態におけるバックライトモジュール５００ａの構造は図６に示すバックライトモジュール５００の構造と大体同じであり、差異はバックライトモジュール５００ａの導光板６００ａが異なる構造設計を有することだけである。図９に示すように、導光板６００ａの延伸構造６３０ａは表面６３１ａ及び凹溝６３２ａを含む。図９に示すように、凹溝６３２ａは、主に下部固着部品６５０を設置するのに用いられる。
【００４１】
本実施例において、導光板６００ａの延伸構造６３０ａは光源の回路基板５１１に位置するため、導光板６００ａは下部固着部品６５０により光源の回路基板５１１に固着される。
【００４２】
先ず、図１０を参照すると、本発明の第６実施形態によるバックライトモジュールを示す側面図である。本実施形態におけるバックライトモジュール７００は、主に導光板８００、導光板８００の隣に設置された光源７１０、部品７２０及び複数の固着部品７３０を含む。ここで、導光板８００は本体８１０及び複数のプラットフォーム部８２０を含む。導光板８００を部品７２０に粘着させるために、固着部品７３０は、主に導光板８００のプラットフォーム部８２０に設置することができる。
【００４３】
図１１及び図１２を共に参照すると、それぞれ本発明の第６実施形態によるバックライトモジュール省略部品及び固着部品を示す側面図及び斜視図である。導光板８００の本体８１０は漸縮部８１１及び導光部８１２を含む。ここで、漸縮部８１１は光入射面８１１ａ及び斜面８１１ｂを有し、光入射面８１１ａは漸縮部８１１の厚さが大きい一方に位置し、斜面８１１ｂは光入射面８１１ａに接続される。導光部８１２は、漸縮部８１１の厚さが小さい一方に接続され、導光部８１２は厚さが均一である平板構造であってもよい。導光部８１２は光学面８１２ａを有し、この光学面８１２ａは斜面８１１ｂに接続される。
【００４４】
プラットフォーム部８２０は漸縮部８１１に設置され、各プラットフォーム部８２０は平面８２１及び垂直側面８２２を有する。一範例において、プラットフォーム部４２０は第１方向Ｄ３に沿って配列するように設置される。図１１及び図１２に示すように、垂直側面８２２は平面８２１及び漸縮部８１１の斜面８１１ｂに接続される。また、導光板８００の側面図から見ると、各プラットフォーム部８２０の平面８２１は漸縮部８１１の斜面８１１ｂの上に位置し、光学面８１２ａと異なる平面に位置する。
【００４５】
また、本体８１０の漸縮部８１１の頂部は第１縁部Ｓ３を有し、漸縮部８１１の底部は第２縁部Ｓ４を有する。ここで、第２縁部Ｓ４は光学面８１２ａに接続され、第１縁部Ｓ３は光学面８１２ａと一定の距離離れている。一実施例において、プラットフォーム部８２０は第１縁部Ｓ３と第２縁部Ｓ４との間に位置する。即ち、プラットフォーム部８２０は光学面８１２ａと接触しない。本実施例において、図１０に示すような固着部品７３０はこの平面８２１に設置され、導光板８００を部品７２０に固着することができる。
【００４６】
図１１及び図１２に示すように、本実施例において、導光板８００は、さらに、本体８１０に設置された複数のストリップ状の微細構造８３０を含み、各ストリップ状の微細構造８３０の長さは本体８１０の長さより短い。
【００４７】
本実施例において、各ストリップ状の微細構造８３０は第２縁部Ｓ４から光入射面８１１ａを離れる方向へ延伸し始め、光学面８１２ａに切断され、光入射面８１１ａと導光部８１２の反対面８１２ｂとの間に位置する。即ち、各ストリップ状の微細構造８３０の一端は漸縮部８１１の第２縁部Ｓ４に接続され、他端は光学面８１２ａに位置する。
【００４８】
本実施例において、各ストリップ状の微細構造８３０の光学面８１２ａに位置する部分は第２方向Ｄ４と平行する。ここで言う第２方向Ｄ４とは、光入射面８１１ａの法線と平行する方向を指す。一例において、第２方向Ｄ４は第１方向Ｄ３に直交する。一方、図１１に示すように、本実施形態のバックライトモジュール７００は可視領域及び非可視領域を有する。各ストリップ状の微細構造８３０は非可視領域に位置し、第２縁部Ｓ４から導光部８１２の反対面８１２ｂに向かう方向へ延伸する。
【００４９】
また、図１３を参照すると、本発明の第７実施形態によるバックライトモジュールを示す側面図である。図１３に示されたバックライトモジュール７００ａの構造は前記バックライトモジュール７００の構造と大体同じであり、差異はバックライトモジュール７００ａの導光板８００ａのストリップ状の微細構造８３０ａが異なる構造設計を有することだけである。
【００５０】
本実施形態において、ストリップ状の微細構造８３０ａは漸縮部８１１から光学面８１２ａに延伸し、光入射面８１１ａと導光部８１２の反対面８１２ｂとの間に切断される。即ち、各ストリップ状の微細構造８３０ａの一端は漸縮部８１１に位置し、他端は光学面８１２ａに位置する。
【００５１】
本実施例において、バックライトモジュール７００ａは同じく可視領域及び非可視領域を有する。各ストリップ状の微細構造８３０ａの漸縮部８１１に位置する部分は非可視領域に位置し、各ストリップ状微細構造８３０の光学面８１２ａに位置する部分も非可視領域に位置する。
【００５２】
本実施例において、同じく図１０に示すような固着部品７３０を導光板８００ａのプラットフォーム部８２０に設置することにより、導光板８００ａを図１０に示すような部品７２０に固着することができる。
【００５３】
また、図１４を参照すると、本発明の第８実施形態によるバックライトモジュールを示す側面図である。図１４に示されたバックライトモジュール７００ｂの構造は前記バックライトモジュール７００の構造と大体同じであり、差異はバックライトモジュール７００ｂの導光板８００ｂのストリップ状の微細構造８３０ｂが異なる設置位置を有することだけである。図１４に示すように、バックライトモジュール７００ｂは可視領域及び非可視領域を有し、ここで、漸縮部８１１は非可視領域に位置し、漸縮部８１１の第２縁部Ｓ４は可視領域と一定の距離離れている。
【００５４】
本実施例において、ストリップ状の微細構造８３０ｂは非可視領域に位置する光学面８１２ａに設置され、漸縮部８１１の第２縁部Ｓ４と一定の距離離れている。また、本実施例において、同じく図１に示すような固着部品３３０を導光板８００ｂのプラットフォーム部８２０に設置することにより、導光板８００ｂを図１に示すような部品３２０に固着することができる。
【００５５】
図１５及び図１６を共に参照すると、それぞれ本発明の第９実施形態によるバックライトモジュールを示す側面図とバックライトモジュール省略部品及び固着部品を示す斜視図である。本実施形態におけるバックライトモジュール９００は、主に導光板９１０、導光板９１０の隣に設置された光源９２０、部品９３０及び複数の固着部品９４０を含む。
【００５６】
ここで、導光板９１０は本体９１１、複数のプラットフォーム部９１２、及び複数の延伸構造９１３を含む。延伸構造９１３は一部又は全てのプラットフォーム部９１２に接続される。導光板９１０を部品９３０に粘着させるために、固着部品９４０は、主に、導光板９１０の延伸構造９１３及びプラットフォーム部９１２に設置することができる。本実施例において、延伸構造９１３の設計は固着部品９１３の粘着面積を増加させることができる。
【００５７】
継続して図１５及び図１６を参照すると、導光板９１０の本体９１１は漸縮部９１１ａ及び導光部９１１ｂを含む。ここで、漸縮部９１１ａは光入射面９１１ｃ及び斜面９１１ｄを有し、光入射面９１１ｃは漸縮部９１１ａの厚さが大きい一方に位置し、斜面９１１ｄは光入射面９１１ｃに接続される。導光部９１１ｂは、漸縮部９１１ａの厚さが小さい一方に接続され、導光部９１１ｂは厚さが均一である平板構造であってもよい。導光部９１１ｂは光学面９１１ｅを有し、この光学面９１１ｅは斜面９１１ｄに接続される。
【００５８】
本実施例において、プラットフォーム部９１２は漸縮部９１１ａに設置され、漸縮部９１１ａの第１縁部Ｓ５と第２縁部Ｓ６との間に位置する。ここで、各プラットフォーム部９１２は平面９１２ａを有する。また、本実施形態のプラットフォーム部９１２は延伸構造９１３に位置し、光入射面９１１ｃから延伸され、延伸構造９１３は表面９１３ａを有する。
【００５９】
本実施例において、プラットフォーム部９１２の平面９１２ａは延伸構造９１３の表面９１３ａと同じ水平面に位置する。また、導光板９１０の側面図から見ると、各プラットフォーム部９１２の平面９１２ａは漸縮部９１１ａの斜面９１１ｄの上に位置する。
【００６０】
また、本実施例において、各プラットフォーム部９１２の平面９１２ａ、延伸構造９１３の表面９１３ａ及び光学面９１１ｅはいずれも同じ水平面に位置する。本実施例において、固着部品９４０はこの平面９１２ａ及び表面９１３ａに設置され、導光板９１０を部品９３０に固着することができる。
【００６１】
図１５に示すように、光源９２０は回路基板９２１及び回路基板９２１に設置された複数の発光ダイオード９２２を含む。図１６に示すように、延伸構造９１３は２つの隣接する発光ダイオード９２２の間に位置する。従って、作業者は、光源９２０と導光板９１０を組立てる時、延伸構造９１３の設計を利用して発光ダイオード９２２を光入射面９１１ｃに位置合わせることができ、そのため、延伸構造９１３は作業者が導光板９１０を光源９２０に位置合わせるように容易に組立てる機能を有する。
【００６２】
図１５及び図１６に示すように、一部の実施例において、導光板９１０は、さらに、本体９１１に設置された複数のストリップ状の微細構造９５０を含む。より具体的には、ストリップ状の微細構造９５０の構造設計及び配列方式に関する部分は、前記図１０〜図１４に示すストリップ状の微細構造８３０、８３０ａ及び８３０ｂの構造設計及び配列方式と大体同じであり、ここでその説明を省略する。
【００６３】
また、図１７を参照すると、本発明の一実施形態による表示装置を示す装置の概念図である。本実施形態の表示装置１０００は、主に、図６に示すようなバックライトモジュール５００及び表示パネル１１００を含む。表示パネル１１００は導光板６００の前方に位置する。より具体的には、図６に示すバックライトモジュール５００の部品５２０は筺体５２０ａ及び反射シート５２０ｂを含む。
【００６４】
本実施例において、部品５２０は反射シート５２０ｂを有し、図６に示す筺体５２０ａを有しない。従って、本実施例では、固着部品５３０は、主に導光板６００を部品５２０の反射シート５２０ｂに固着する。表示装置１０００は、さらに、表示パネル１１００をバックライトモジュール５００に粘着させるための遮光テープ１３００を含み、反射シート５２０ｂ及び遮光テープ１３００は部品５２０及び表示パネル１１００の間に設置される。
【００６５】
一範例において、発光ダイオード５１２により発生された光が漏れることを避けるために、反射シート５２０ｂは導光板６００の漸縮部６１１を被覆し導光部６１２に延伸することができ、遮光テープ１３００は反射シート５２０ｂの上方に位置する。より具体的には、本実施例は、図６に示すバックライトモジュール５００が表示装置１０００に応用されることを例として説明するが、本発明を限定するものではない。同じ効果を発生させるために、前記その他の実施例のバックライトモジュール、例えば、バックライトモジュール３００、３００ａ、３００ｂ、５００ａ、７００、７００ａ、７００ｂ及び９００を表示装置に応用することもできる。
【００６６】
上記本発明の実施形態から分かるように、部品が導光板に固着可能であるように、導光板上のプラットフォーム部の設計は固着部品を設置することに用いることができる。一方、導光板の延伸構造の設計は、固着部品の粘着面積を増加させることができるほか、作業者が導光板と光源を互いに組立てる時の位置合わせ機能を提供することもできる。
【００６７】
一方、導光板にはストリップ状の微細構造が設置されることで、導光板の光射出が不均一である問題を改善することができ、さらに、バックライトモジュールおよび表示装置全体の光射出外観の均一性を向上させることができる。
【００６８】
本発明は実施例により上記のように開示されたが、上記実施例は本発明を限定するものではなく、当業者であれば、本発明の精神及び範囲を逸脱しない限り、一部の変動や潤飾を行うことができ、故に、本発明の保護範囲は請求項により限定された範囲に準ずるべきである。
【符号の説明】
【００６９】
３００  バックライトモジュール
３００ａ  バックライトモジュール
３００ｂ  バックライトモジュール
３１０  光源
３２０  部品
３２０ａ  筺体
３２０ｂ  反射シート
３３０  固着部品
４００  導光板
４００ａ  導光板
４００ｂ  導光板
４１０  本体
４１１  漸縮部
４１１ａ  光入射面
４１１ｂ  斜面
４１２  導光部
４１２ａ  光学面
４１２ｂ  反対面
４２０  プラットフォーム部
４２０ａ  平面
４３０  ストリップ状の微細構造
４３０ａ  ストリップ状の微細構造
４３０ｂ  ストリップ状の微細構造
５００  バックライトモジュール
５００ａ  バックライトモジュール
５１０  光源
５１１  回路基板
５１２  発光ダイオード
５２０  部品
５２０ａ  筺体
５２０ｂ  反射シート
５２１  延伸部
５３０  固着部品
６００  導光板
６００ａ  導光板
６１０  本体
６１１  漸縮部
６１１ａ  光入射面
６１１ｂ  斜面
６１２  導光部
６１２ａ  光学面
６２０  プラットフォーム部
６２１  平面
６３０  延伸構造
６３０ａ  延伸構造
６３１  表面
６３１ａ  表面
６３２ａ  凹溝
６５０  固着部品
６４０  ストリップ状の微細構造
７００  バックライトモジュール
７００ａ  バックライトモジュール
７００ｂ  バックライトモジュール
７１０  光源
７２０  部品
７３０  固着部品
８００  導光板
８００ａ  導光板
８００ｂ  導光板
８１０  本体
８１１  漸縮部
８１１ａ  光入射面
８１１ｂ  斜面
８１２  導光部
８１２ａ  光学面
８２０  プラットフォーム部
８２１  平面
８２２  垂直側面
８３０  ストリップ状の微細構造
８３０ａ  ストリップ状の微細構造
８３０ｂ  ストリップ状の微細構造
９００  バックライトモジュール
９１０  導光板
９１１  本体
９１１ａ  漸縮部
９１１ｂ  導光部
９１１ｃ  光入射面
９１１ｄ  斜面
９１１ｅ  光学面
９１２  プラットフォーム部
９１２ａ  平面
９１３  延伸構造
９１３ａ  表面
９２０  光源
９２１  回路基板
９２２  発光ダイオード
９３０  部品
９４０  固着部品
９５０  ストリップ状の微細構造
１０００  表示装置
１１００  表示パネル
１３００  遮光テープ
Ｄ１  第１方向
Ｄ２  第２方向
Ｄ３  第１方向
Ｄ４  第２方向
Ｓ１  第１縁部
Ｓ２  第２縁部
Ｓ３  第１縁部
Ｓ４  第２縁部
Ｓ５  第１縁部
Ｓ６  第２縁部
【図１】
2018538658.tif 000003
【図２】
2018538658.tif 000004
【図３】
2018538658.tif 000005
【図４】
2018538658.tif 000006
【図５】
2018538658.tif 000007
【図６】
2018538658.tif 000008
【図７】
2018538658.tif 000009
【図８】
2018538658.tif 000010
【図９】
2018538658.tif 000011
【図１０】
2018538658.tif 000012
【図１１】
2018538658.tif 000013
【図１２】
2018538658.tif 000014
【図１３】
2018538658.tif 000015
【図１４】
2018538658.tif 000016
【図１５】
2018538658.tif 000017
【図１６】
2018538658.tif 000018
【図１７】
2018538658.tif 000019
【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
光入射面及び前記光入射面に接続された斜面を有する漸縮部と、前記漸縮部に接続され、前記斜面に接続された光学面を有する導光部と、を含む本体と、
前記漸縮部に設置され、それぞれ前記漸縮部の前記斜面の上又は下に位置する平面を有する複数のプラットフォーム部と、
を備える導光板。
【請求項２】
各前記プラットフォーム部の前記平面は前記光学面と異なる水平面に位置し、各前記プラットフォーム部はさらに、前記平面と前記斜面に接続された垂直側面を有する請求項１に記載の導光板。
【請求項３】
各前記プラットフォーム部の前記平面は前記光学面と同じ水平面に位置する請求項１に記載の導光板。
【請求項４】
前記斜面は第１縁部及び第２縁部を有し、各前記プラットフォーム部は前記第１縁部と第２縁部との間に位置する請求項１〜３のいずれかに記載の導光板。
【請求項５】
前記光入射面から延伸された複数の延伸構造をさらに含み、
各前記延伸構造は一部又は全ての前記プラットフォーム部に接続される請求項１〜４のいずれかに記載の導光板。
【請求項６】
前記本体に設置され、それぞれの少なくとも一部が前記光学面に位置し、前記光入射面と前記導光部の反対面との間に切断される複数のストリップ状の微細構造をさらに含み、
各前記ストリップ状の微細構造の前記光学面に位置する前記部分は前記光入射面の法線と平行し、各前記ストリップ状の微細構造の長さは前記本体の長さより短い請求項１〜５のいずれかに記載の導光板。
【請求項７】
前記本体に分布された複数のストリップ状の微細構造をさらに含み、
各前記ストリップ状の微細構造は、前記漸縮部の底部の縁から前記光入射面を離れる方向へ延伸し、前記光入射面と前記導光部の反対面との間に切断され、
各前記ストリップ状の微細構造の長さは前記本体の長さより短い請求項１〜５のいずれかに記載の導光板。
【請求項８】
前記漸縮部から前記光学面に延伸し、前記光入射面と前記導光部の反対面との間に切断される複数のストリップ状の微細構造を更に含み、
各前記ストリップ状の微細構造の一部は前記漸縮部に位置し、他の部分は前記光入射面の法線と平行し、
各前記ストリップ状の微細構造の長さは前記本体の長さより短い請求項１〜５のいずれかに記載の導光板。
【請求項９】
回路基板及び前記回路基板に設置された複数の発光ユニットを含む光源と、
光入射面及び前記光入射面に接続された斜面を有する漸縮部と、前記漸縮部に接続され、前記斜面に接続された光学面を有する導光部と、を含む本体と、前記漸縮部に設置され、それぞれ前記漸縮部の前記斜面の上又は下に位置する平面を有する複数のプラットフォーム部と、を備え、前記光源の隣に設置された導光板と、
前記導光板に覆設された部品と、
前記プラットフォーム部の前記平面に設置され、前記部品及び／又は前記光源の前記回路基板を固着する複数の固着部品と、
を含むバックライトモジュール。
【請求項１０】
各前記プラットフォーム部の前記平面は前記光学面と異なる水平面に位置し、各前記プラットフォーム部はさらに、前記平面と前記斜面に接続される垂直側面を有する請求項９に記載のバックライトモジュール。
【請求項１１】
各前記プラットフォーム部の前記平面は前記光学面と同じ水平面に位置する請求項９に記載のバックライトモジュール。
【請求項１２】
前記斜面は第１縁部及び第２縁部を有し、各前記プラットフォーム部は前記第１縁部と第２縁部との間に位置する請求項９に記載のバックライトモジュール。
【請求項１３】
前記導光板は前記光入射面から延伸された複数の延伸構造をさらに含み、各前記延伸構造は一部又は全ての前記プラットフォーム部に接続される請求項９〜１２のいずれかに記載のバックライトモジュール。
【請求項１４】
各前記延伸構造は、前記平面と同じ水平面に位置する表面を有し、一部の前記固着部品は前記プラットフォーム部の前記平面から前記延伸構造の前記表面に延伸される請求項１３に記載のバックライトモジュール。
【請求項１５】
各前記延伸構造は任意の２つの隣接する前記発光ユニットの間に位置する請求項１３または１４に記載のバックライトモジュール。
【請求項１６】
各前記延伸構造はさらに凹溝を含み、前記バックライトモジュールはさらに前記凹溝に設置された複数の下部固着部品を含み、
前記光源の前記回路基板は、前記下部固着部品によって前記回路基板に粘着された前記導光板の下方に位置する請求項１３〜１５のいずれかに記載のバックライトモジュール。
【請求項１７】
前記本体に設置された複数のストリップ状の微細構造をさらに含み、
各前記ストリップ状の微細構造の少なくとも一部は前記光学面に位置し、前記光入射面と前記導光部の反対面との間に切断され、
各前記ストリップ状の微細構造の前記光学面に位置する前記部分は前記光入射面の法線と平行し、各前記ストリップ状の微細構造の長さは前記本体の長さより短い請求項９〜１６のいずれかに記載のバックライトモジュール。
【請求項１８】
前記本体に分布された複数のストリップ状の微細構造をさらに含み、
各前記ストリップ状の微細構造は、前記漸縮部の底部の縁から前記光入射面を離れる方向へ延伸し、前記光入射面と前記導光部の反対面との間に切断され、
各前記ストリップ状の微細構造の長さは前記本体の長さより短い請求項９〜１６のいずれかに記載のバックライトモジュール。
【請求項１９】
前記漸縮部から前記光学面に延伸し、前記光入射面と前記導光部の反対面との間に切断される複数のストリップ状の微細構造をさらに含み、
各前記ストリップ状の微細構造の一部は前記漸縮部に位置し、他の部分は前記光入射面の法線と平行し、
各前記ストリップ状の微細構造の長さは前記本体の長さより短い請求項９〜１６のいずれかに記載のバックライトモジュール。
【請求項２０】
前記部品は反射シートを有し、前記本体の前記漸縮部に覆設され、前記導光部に延伸される請求項９〜１９のいずれかに記載のバックライトモジュール。
【請求項２１】
前記部品は筺体をさらに含み、前記反射シートは前記筺体に結合され、前記筺体と前記本体との間に介在する請求項２０に記載のバックライトモジュール。
【請求項２２】
請求項９〜２１のいずれかに記載のバックライトモジュールと、
前記導光板の前方に位置する表示パネルと、
を含む表示装置。
【国際調査報告】
2018538658.tif 000020
2018538658.tif 000021
2018538658.tif 000022
2018538658.tif 000023